(57)【要約】【課題】  ２枚の光ディスク及び２台の光ディスク再生装置を必要とすることなく、１つの楽曲のオーディオデータを一定のリズムが保たれた楽音としてそのままの原音で出力させながら編集処理したオーディオデータを同時に出力させることができる光ディスク再生装置を提供する。【解決手段】  光ディスクに記録されたＬ／Ｒチャンネルのオーディオデータを再生する再生処理部と、Ｌ／Ｒチャンネルのオーディオデータをダウンミックスし第１及び第２のオーディオデータとして出力する変換部と、変換部が出力した第１及び第２のオーディオデータを編集処理する編集処理部と、第１及び第２のオーディオデータをそれぞれ個別に編集処理するよう指示する操作指示部と、操作指示部の指示に応じて第１及び第２のオーディオデータをそれぞれ個別に編集処理しそれぞれＬ／Ｒチャンネルの出力端子に出力するよう制御する制御部とを備える。【選択図】      図２
2007128602.tif 000002
【特許請求の範囲】
【請求項１】
光ディスクに記録されたＬチャンネル及びＲチャンネルのオーディオデータを再生する再生処理部と、前記再生処理部が再生したＬチャンネル及びＲチャンネルのオーディオデータをダウンミックスし当該ダウンミックスしたデータを第１のオーディオデータ及び第２のオーディオデータとして出力する変換部と、前記変換部が出力した第１のオーディオデータ及び第２のオーディオデータを編集処理する編集処理部と、操作により前記変換部が出力した第１のオーディオデータ及び第２のオーディオデータをそれぞれ個別に編集処理するよう指示する指示信号を出力する操作指示部と、前記操作指示部が出力する指示信号に応じて前記変換部が出力した第１のオーディオデータ及び第２のオーディオデータをそれぞれ個別に編集処理し当該編集処理した第１のオーディオデータ及び第２のオーディオデータをそれぞれＬチャンネルの出力端子及びＲチャンネルの出力端子に出力するよう前記編集処理部を制御する制御部とを備えることを特徴とする光ディスク再生装置。
【発明の詳細な説明】
【技術分野】
【０００１】
本発明は、光ディスクに記録されたＬチャンネル及びＲチャンネルのオーディオデータを再生する光ディスク再生装置に関する。
【背景技術】
【０００２】
従来、コンパクトディスク（Compact Disc（以下、CDという。））等の光ディスクに記録されたオーディオデータを再生する光ディスク再生装置が知られている。この光ディスク再生装置は、光ディスクに記録されたオーディオデータを光ピックアップによって読み取り、当該光ピックアップが読み取ったオーディオデータを信号処理し、当該信号処理をしたオーディオデータを出力する。
【０００３】
また、従来、前述した光ディスク再生装置の出力端子から出力されたオーディオデータを入力し、入力したオーディオ信号を編集処理して出力するオーディオ信号処理装置が知られている（例えば、特許文献１参照）。
従来のオーディオ信号処理装置は、オーディオ信号を編集処理する複数種類の編集処理機能（演出機能）を備えており、光ディスク再生装置から出力されたオーディオデータは、このオーディオ信号処理装置が備える複数種類の演出機能のうちから使用者が選択した任意の演出効果を施す機能によって、使用者が希望した演出効果を奏したオーディオデータとして出力される。
【０００４】
ダンスホールなどで光ディスクを再生するディスクジョッキー（Disc Jockey（以下、DJという。））は、従来の光ディスク再生装置と前述したオーディオ信号処理装置を用いて、光ディスク再生装置によって再生されたオーディオデータをオーディオ信号処理装置に入力し、この入力されたオーディオデータを演出効果の高いオーディオデータに編集処理し、編集処理したオーディオデータをミキサー装置及びオーディオ信号増幅装置等を介してスピーカから出力することにより、ダンスホールでの演出効果を高めることができる。
【０００５】
従来の光ディスク再生装置には、前述したオーディオ信号処理装置が備える編集機能を備えたものがある。この編集機能を備える光ディスク再生装置は、光ディスクに記録されたオーディオデータを再生すると共に、再生したオーディオデータに編集処理を施すことができる。このオーディオデータを編集処理する機能を備える光ディスク再生装置を用いることにより、ＤＪは、光ディスクに記録されたオーディオデータを演出効果の高い楽音に編集処理して出力することができる。
【０００６】
【特許文献１】特開２０００−０４７６６５号公報
【発明の開示】
【発明が解決しようとする課題】
【０００７】
ダンスホールでは、少なくとも一定のリズムが保たれた楽音がホール内に設置したスピーカから出力されることによって、そのダンスホールの客はそのスピーカから出力される楽音の一定のリズムに合わせてダンスを楽しむ。そのため、ダンスホールで様々な効果を演出するＤＪは、通常、複数の光ディスク再生装置を用い、一方の光ディスク再生装置で再生されたオーディオデータを一定のリズムに保ちつつ、そのままの原音で出力すると共に、他方の光ディスク再生装置で再生されたオーディオデータをＤＪが編集処理し、この２つの光ディスク再生装置からそれぞれ出力された原音のオーディオデータと編集処理が施されたオーディオデータをミキサー装置等で合成させた後、スピーカから出力する。
【０００８】
そのため、例えば、１つの楽曲のオーディオ信号を一定のリズムが保たれた楽音としてそのままの原音で出力させながら当該オーディオデータを編集処理したオーディオデータを同時に出力させようとする場合は、２つの光ディスク再生装置によって同一の楽曲のオーディオデータが記録された光ディスクを再生し、一方の光ディスク再生装置で再生されたオーディオデータを一定のリズムに保ちつつ、そのままの原音で出力すると共に、他方の光ディスク再生装置で再生された同じ楽曲のオーディオデータをＤＪが編集処理する必要がある。このため、１つの楽曲のオーディオデータを一定のリズムが保たれた楽音としてそのままの原音で出力させながら当該オーディオデータを編集処理したオーディオデータを同時に出力させようとする場合は、同一の楽曲が記録された２枚の光ディスク及び２台の光ディスク再生装置を用いる必要があり、この２枚の光ディスクと２台の光ディスク再生装置を用意することが煩わしく、コストが増大してしまう。
【０００９】
また、２台の光ディスク再生装置によって同一の楽曲のオーディオデータが記録された光ディスクを用いて１つの楽曲のオーディオ信号を一定のリズムが保たれた楽音としてそのままの原音で出力させながら当該オーディオデータを編集処理したオーディオデータを同時に出力させようとする場合は、それぞれの光ディスク再生装置から同一の楽曲を同じリズムのタイミングで出力する必要がある。このため、２台の光ディスク再生装置で光ディスクを再生する際に、再生を開始するタイミングがズレてしまうと、それぞれの光ディスク再生装置から出力される楽音のリズムにズレが生じ、演出効果が損なわれてしまう。
【００１０】
本発明は、オーディオデータを編集処理する機能を備える光ディスク再生装置において、同一の楽曲が記録された２枚の光ディスク及び２台の光ディスク再生装置を必要とすることなく、１つの楽曲のオーディオデータを一定のリズムが保たれた楽音としてそのままの原音で出力させながら当該オーディオデータを編集処理したオーディオデータを同時に出力させることができる光ディスク再生装置を提供することを目的とする。
【課題を解決するための手段】
【００１１】
本願の請求項１記載の発明は、光ディスクに記録されたＬチャンネル及びＲチャンネルのオーディオデータを再生する再生処理部と、前記再生処理部が再生したＬチャンネル及びＲチャンネルのオーディオデータをダウンミックスし当該ダウンミックスしたデータを第１のオーディオデータ及び第２のオーディオデータとして出力する変換部と、前記変換部が出力した第１のオーディオデータ及び第２のオーディオデータを編集処理する編集処理部と、操作により前記変換部が出力した第１のオーディオデータ及び第２のオーディオデータをそれぞれ個別に編集処理するよう指示する指示信号を出力する操作指示部と、前記操作指示部が出力する指示信号に応じて前記変換部が出力した第１のオーディオデータ及び第２のオーディオデータをそれぞれ個別に編集処理し当該編集処理した第１のオーディオデータ及び第２のオーディオデータをそれぞれＬチャンネルの出力端子及びＲチャンネルの出力端子に出力するよう前記編集処理部を制御する制御部とを備えることを特徴とする。
【発明の効果】
【００１２】
本発明によれば、オーディオデータを編集処理する機能を備える光ディスク再生装置において、同一の楽曲が記録された２枚の光ディスク及び２台の光ディスク再生装置を必要とすることなく、１つの楽曲のオーディオデータを一定のリズムが保たれた楽音としてそのままの原音で出力させながら当該オーディオデータを編集処理したオーディオデータを同時に出力させることができる光ディスク再生装置を提供することができる。
【発明を実施するための最良の形態】
【００１３】
本発明の実施の形態を図面を参照して説明する。
図１は、本発明の光ディスク再生装置の一実施例の構成を示すブロック図である。図１において、１はターンテーブル、２はスピンドルモータ、３はサーボ制御部、４は光ピックアップ、５は再生アンプ、６は信号処理部、７はＤＳＰ、９はDAC（Digital to Analog Converter）、１０はアンプ、１２は制御部、１３は表示部、１４は操作部、１５はＬｃｈ出力端子、１６はＲｃｈ出力端子を示す。
本実施例の光ディスク再生装置は、操作部１４に複数種類の編集処理の内容を選択するための複数の釦を備える選択部を備え、光ディスクに記録されたオーディオデータについて選択部から選択された釦に対応した編集処理を行うＤＪ用の光ディスク再生装置である。
【００１４】
スピンドルモータ２に固定されたターンテーブル１は、ＣＤ（Compact Disc）、ＭＤ（Mini Disc）又はＤＶＤ（Digital Versatile Disc）等の光ディスクを固定する。サーボ制御部３は、ターンテーブル１に光ディスクが固定されると、スピンドルモータ２を所定の線速度で回転駆動させる制御をする。また、サーボ制御部３は、光ピックアップ４からのレーザ光を光ディスクのピット列を正しくトレースするために、図示しないフォーカスサーボ回路とトラッキングサーボ回路を制御する。
【００１５】
光ピックアップ４が光ディスクから読み取ったオーディオデータは、再生アンプ５により波形整形及び増幅され信号処理部６に入力される。信号処理部６は、オーディオデータの復調、フォーカスエラー信号やトラッキングエラー信号等のエラー信号、同期信号の抜き出し等を行い、Ｌチャンネル及びＲチャンネルのステレオのオーディオデータとしてＤＳＰ７に出力する。
【００１６】
ＤＳＰ７は、操作部１４の操作により選択された釦に応じて信号処理部６から出力されたＬチャンネル及びＲチャンネルのオーディオデータを編集処理し、当該編集処理したＬチャンネル及びＲチャンネルのオーディオデータを第１のオーディオデータ及び第２のオーディオデータとしてＤＡＣ９に出力する。ＤＳＰ７及び操作部１４の構成については後述する。
【００１７】
DAC９は、ＤＳＰ７から出力された第１のオーディオデータ及び第２のオーディオデータをそれぞれアナログのオーディオ信号に変換しアンプ１０に入力する。アンプ１０に入力されたＬチャンネル及びＲチャンネルのオーディオ信号は、それぞれ増幅され、Ｌｃｈ出力端子１５及びＲｃｈ出力端子１６に接続したミキサー装置及びオーディオ信号増幅装置等を介した後、スピーカ等から出力される。
【００１８】
表示部１３は、現在再生しているトラックの再生時間（分、秒、フレーム）の表示、トラックナンバー等の表示を行う。
【００１９】
図２は、本発明の一実施例に係る光ディスク再生装置の操作部の構成を示す上面図である。
操作部１４は、表示部１３、再生釦１７、停止釦１８、切換スイッチ１９、第１の選択部２０及び第２の選択部２１を備える。
【００２０】
再生釦１７及び停止釦１８は、押圧されることにより、それぞれ再生指示信号及び再生停止信号を制御部１２に出力する。制御部１２は、再生釦１７及び停止釦１８から出力される再生指示信号及び再生停止信号に応じて光ディスクに記録されたオーディオデータの再生を開始または停止するようスピンドルモータ２、サーボ制御部３及び光ピックアップ４を制御する。
【００２１】
切換スイッチ１９は、ＯＮ／ＯＦFスイッチであり、操作によりＯＮの位置またはＯＦＦの位置に移動する。切換スイッチ１９は、ＯＦＦの位置にある場合、制御部１２にＯＦＦ信号を出力し、ＯＮの位置にある場合、制御部１２にＯＮ信号を出力する。第１の選択部２０は、釦２０１及び釦２０２を備え、第２の選択部２１は、釦２１１及び釦２１２を備える。釦２０１及び釦２１１は、押圧されることによりそれぞれオーディオデータをディレイ処理するよう指示するディレイ指示信号を制御部１２に出力する。このディレイ処理とは、ＤＳＰ７に入力されたオーディオデータの時間を例えば０．５秒遅延させて出力するようオーディオデータを編集処理するものである。釦２０２及び釦２１２は、押圧されることによりそれぞれオーディオデータをフランジャー処理するよう指示するフランジャー指示信号を制御部１２に出力する。このフランジャー処理とは、ＤＳＰ７に入力されたオーディオデータを遅延させると共にこの遅延させたオーディオデータの再生周波数帯域を断続的に変化させることによりうねりを与えた音として出力するようオーディオデータを編集処理するものである。制御部１２は、切換スイッチ１９から出力されたＯＦＦ信号及びＯＮ信号と第１の選択部２０及び第２の選択部２１から出力される指示信号に基づいてＤＳＰ７を制御する。
【００２２】
図３は、本実施例の光ディスク再生装置のＤＳＰの構成を示すブロック図で、図３（ａ）は切換スイッチ１９からＯＦＦ信号が出力されている状態を示す図、図３（ｂ）は切換スイッチ１９からＯＮ信号が出力されている状態を示す図である。
ＤＳＰ７は、変換部７０１及び編集処理部７０２を備える。
【００２３】
制御部１２は、図２に示す切換スイッチ１９からＯＦＦ信号が出力されている場合、図３（ａ）に示すように、信号処理部６から出力されたＬチャンネル及びＲチャンネルのオーディオデータをそのままの状態で第１のオーディオデータ及び第２のオーディオデータとして編集処理部７０２に出力するよう変換部７０１を制御する。また、制御部１２は、切換スイッチ１９からＯＦＦ信号が出力されている場合、図２に示す第１の選択部２０の釦２０１からディレイ指示信号が出力されると、変換部７０１から出力された第１のオーディオデータ及び第２のオーディオデータをそれぞれディレイ処理して出力するよう編集処理部７０２を制御する。また、制御部１２は、切換スイッチ１９からＯＦＦ信号が出力されている場合、図２に示す第１の選択部２０の釦２０２からフランジャー指示信号が出力されると、変換部７０１から出力された第１のオーディオデータ及び第２のオーディオデータをそれぞれフランジャー処理して出力するよう編集処理部７０２を制御する。
【００２４】
制御部１２は、図２に示す切換スイッチ１９からＯＮ信号が出力されている場合、図３（ｂ）に示すように、信号処理部６から出力されたＬチャンネル及びＲチャンネルのオーディオデータをダウンミックスし、ＬチャンネルとＲチャンネルのオーディオデータが合成されたモノラルデータをそれぞれ第１のオーディオデータ及び第２のオーディオデータとして編集処理部７０２に出力するよう変換部７０１を制御する。また、制御部１２は、切換スイッチ１９からＯＮ信号が出力されている場合、図２に示す第１の選択部２０の釦２０１からディレイ指示信号が出力されると、変換部７０１から出力された第１のオーディオデータをディレイ処理して出力し、また、第１の選択部２０の釦２０２からフランジャー指示信号が出力されると、変換部７０１から出力された第１のオーディオデータをフランジャー処理して出力するよう編集処理部７０２を制御する。また、制御部１２は、切換スイッチ１９からＯＮ信号が出力されている場合、図２に示す第２の選択部２１の釦２１１からディレイ指示信号が出力されると、変換部７０１から出力された第２のオーディオデータをディレイ処理して出力し、また、第２の選択部２１の釦２１２からフランジャー指示信号が出力されると、変換部７０１から出力された第２のオーディオデータをフランジャー処理して出力するよう編集処理部７０２を制御する。
【００２５】
図４は、光ディスク再生装置１００によって光ディスクに記録されたオーディオデータを再生する場合の制御部１２によるＤＳＰ７の制御を示すフローチャート図である。
図４に示す開始時点において、光ディスク再生装置１００は、光ディスクに記録されたオーディオデータを再生しているものとする。
【００２６】
ステップＳ１において、制御部１２は、切換スイッチ１９からＯＮ信号が出力されているか否かを判別する。ステップＳ１において、制御部１２は、切換スイッチ１９からＯＮ信号が出力されておらず、ＯＦＦ信号が出力されている場合、信号処理部６から出力されたＬチャンネル及びＲチャンネルのオーディオデータをそのままの状態で第１のオーディオデータ及び第２のオーディオデータとして編集処理部７０２に出力するよう変換部７０１を制御し、第１の選択部２０の釦２０１及び釦２０２からディレイ指示信号及びフランジャー指示信号が出力されているか否かを判別する（ステップＳ２）。ステップＳ２において、制御部１２は、第１の選択部２０の釦２０１及び釦２０２からディレイ指示信号及びフランジャー指示信号が出力されている場合は、ステップＳ３に移行する。ステップＳ２において、釦２０１からディレイ指示信号が出力されていると判別した場合、ステップＳ３において、制御部１２は、変換部７０１から出力された第１のオーディオデータ及び第２のオーディオデータをディレイ処理して出力するよう編集処理部７０２を制御する。また、ステップＳ２において、釦２０２からフランジャー指示信号が出力されていると判別した場合、ステップＳ３において、制御部１２は、変換部７０１から出力された第１のオーディオデータ及び第２のオーディオデータをフランジャー処理して出力するよう編集処理部７０２を制御する。
【００２７】
ステップＳ１において、切換スイッチ１９からＯＮ信号が出力されている場合、制御部１２は、信号処理部６から出力されたＬチャンネル及びＲチャンネルのオーディオデータをダウンミックスし、ＬチャンネルとＲチャンネルのオーディオデータが合成されたモノラルデータをそれぞれ第１のオーディオデータ及び第２のオーディオデータとして編集処理部７０２に出力するよう変換部７０１を制御し（ステップＳ４）、ステップＳ５に移行する。
【００２８】
ステップＳ５において、制御部１２は、第１の選択部２０の釦２０１及び釦２０２からディレイ指示信号及びフランジャー指示信号が出力されているか否かを判別し、第１の選択部２０の釦２０１及び釦２０２からディレイ指示信号及びフランジャー指示信号が出力されている場合はステップＳ６に移行し、釦２０１及び釦２０２からディレイ指示信号及びフランジャー指示信号が出力されていない場合はステップＳ７に移行する。
ステップＳ５において、釦２０１からディレイ指示信号が出力されていると判別した場合、ステップＳ６において、制御部１２は、信号処理部６から出力された第１のオーディオデータをディレイ処理して出力するよう編集処理部７０２を制御する。また、ステップＳ５において、釦２０２からフランジャー指示信号が出力されていると判別した場合、ステップＳ６において、制御部１２は、信号処理部６から出力された第１のオーディオデータをフランジャー処理して出力するよう編集処理部７０２を制御する。
【００２９】
ステップＳ７において、制御部１２は、第２の選択部２１の釦２１１または釦２１２からディレイ指示信号及びフランジャー指示信号が出力されているか否かを判別し、第２の選択部２１の釦２１１及び釦２１２からディレイ指示信号またはフランジャー指示信号が出力されている場合はステップＳ８に移行する。
ステップＳ７において、釦２１１からディレイ指示信号が出力されていると判別した場合、ステップＳ８において、制御部１２は、信号処理部６から出力された第２のオーディオデータをディレイ処理して出力するよう編集処理部７０２を制御する。また、ステップＳ７において、釦２１２からフランジャー指示信号が出力されていると判別した場合、ステップＳ８において、制御部１２は、信号処理部６から出力された第２のオーディオデータをフランジャー処理して出力するよう編集処理部７０２を制御する。
【００３０】
以上のように、本実施例の光ディスク再生装置１００は、切換スイッチ１９をＯＮの位置とした場合、光ディスクに記録されたＬチャンネル及びＲチャンネルのオーディオデータをダウンミックスし、ＬチャンネルとＲチャンネルのオーディオデータが合成されたモノラルデータをそれぞれ第１のオーディオデータ及び第２のオーディオデータとした後、当該第１のオーディオデータを第１の選択部２０によって選択された編集処理内容によって編集処理し、また、当該第２のオーディオデータを第２の選択部２１によって選択された編集内容によって編集処理する。
【００３１】
このように、本実施例の光ディスク再生装置１００は、切換スイッチ１９をＯＮの位置とした場合、変換部７０１がＬチャンネル及びＲチャンネルのオーディオデータをダウンミックスして第１のオーディオデータ及び第２のオーディオデータとした後、当該第１のオーディオデータ及び第２のオーディオデータをそれぞれ第１の選択部２０及び第２の選択部２１の操作により個別に編集処理することができる。このことにより、１つの楽曲を一定のリズムの楽音としてそのままの原音で出力させながら当該楽曲を編集処理した楽音を同時に出力させようとする場合は、例えば、光ディスク再生装置１００によって、光ディスクに記録された当該楽曲を再生させた状態で、切換スイッチ１９をＯＮの位置とし、第１の選択部２０の釦２０１及び釦２０２を押圧せずに第２の選択部２１の釦２１１及び釦２１２のみを押圧する。これにより、光ディスク再生装置１００のＬｃｈ出力端子１５からは、編集処理が行われていない楽曲のオーディオ信号が出力され、一方、Ｒｃｈ出力端子１６からは、第２の選択部２１の釦２１１及び釦２１２によって選択された編集処理内容の編集処理が行われた楽曲のオーディオ信号が出力される。
【００３２】
よって、本実施例の光ディスク再生装置１００は、１つの楽曲を一定のリズムの楽音としてそのままの原音で出力させながら当該楽曲を編集処理した楽音を同時に出力させようとする場合、同一の楽曲が記録された光ディスクを再生する光ディスク再生装置を２台用意することなく、また、同一の楽曲が記録された２つの光ディスクを用意することなく、１つの光ディスクを再生するのみで原音のままの楽曲と編集処理した楽曲とを同時に出力させることができる。
【００３３】
本実施例の光ディスク再生装置１００は、切換スイッチ１９をＯＮの位置とした場合に、変換部７０１が光ディスクに記録されたＬチャンネル及びＲチャンネルのオーディオデータをダウンミックスし、ＬチャンネルとＲチャンネルのオーディオデータが合成されたモノラルデータをそれぞれ第１のオーディオデータ及び第２のオーディオデータとする構成としたが、光ディスクに記録されたＬチャンネル及びＲチャンネルのオーディオデータがステレオデータでなくモノラルデータである場合や、Ｌチャンネル及びＲチャンネルのオーディオデータを個別に編集処理しても違和感のない楽曲である場合は、変換部７０１を備えない構成とし、光ディスクに記録されたＬチャンネル及びＲチャンネルのオーディオデータを第１の選択部２０及び第２の選択部２１の操作によってそれぞれ個別に編集処理する構成としても良い。これにより、光ディスク再生装置１００の製造コストを低減させることができる。
【図面の簡単な説明】
【００３４】
【図１】本発明の光ディスク再生装置の一実施例の構成を示すブロック図。
【図２】本発明の一実施例に係る光ディスク再生装置の操作部の構成を示す上面図。
【図３】本実施例の光ディスク再生装置のＤＳＰの構成を示すブロック図で、図３（ａ）は切換スイッチ１９からＯＦＦ信号が出力されている状態を示す図、図３（ｂ）は切換スイッチ１９からＯＮ信号が出力されている状態を示す図。
【図４】光ディスク再生装置１００によって光ディスクに記録されたオーディオデータを再生する場合の制御部１２によるＤＳＰ７の制御を示すフローチャート図。
【符号の説明】
【００３５】
１  ターンテーブル、２  スピンドルモータ、３  サーボ制御部、４  光ピックアップ、
５  再生アンプ、６  信号処理部、７  ＤＳＰ、７０１  変換部、７０２  編集処理部、
８  ＲＡＭ、９  ＤＡＣ、１０  アンプ、１２  制御部、１３  表示部、１４  操作部、
１５  Ｌｃｈ出力端子、１６  Ｒｃｈ出力端子、１７  再生釦、１８  停止釦、
１９  切換スイッチ、２０  第１の選択部、２０１  釦、２０２  釦、
２１  第２の選択部、２１１  釦、２１２  釦
【図１】
2007128602.tif 000003
【図２】
2007128602.tif 000004
【図３】
2007128602.tif 000005
【図４】
2007128602.tif 000006